(57)【要約】【課題】根本的なセキュリティ性を保ちつつ、悪意のある二次記入を防止し、事務作業に多大な労力を要することのない隠蔽ラベルを提供する。【解決手段】隠蔽ラベル１０は、はがきタイプのものであって、折りミシン目ｍｃをはさんで配置された第１及び第２の領域１１−１，１１−２を有する支持基材１１と、第１の領域１１−１上の中央付近に設けられた記入欄１２と、第２の領域１１−２上に配置され、全面が透明な透明紙１４，粘着剤１５及び剥離紙１６が順に積層された透明タック紙１３と、透明紙１４の一部であって、記入欄１２に対向しない部分に設けられ、カーボンブラックを含む墨インキ層などからなる隠蔽層１７と、記入欄１２に対する部分を高い剥離性を有する剥離剤で弱接着させ、隠蔽層１７に対する部分を強い接着性を有する擬似接着剤で接着させ、第２の領域１１−２と透明紙１４とを剥離可能に擬似接着する擬似接着層１８などとを備える。【選択図】図１
2006330218.tif 000002
【特許請求の範囲】
【請求項１】
折り線をはさんで配置された第１及び第２の領域を有する支持基材と、
前記第１の領域上に設けられた秘匿情報欄と、
前記第２の領域上に配置され、少なくとも前記秘匿情報欄に対向する部分が透明な透明性基材，粘着剤層及び剥離シートが順に積層された積層ラベル部と、
前記第２の領域と前記透明性基材とを擬似接着する擬似接着層と、
前記透明性基材の一部であって、前記秘匿情報欄に対向しない部分に設けられた隠蔽層と、
を備える隠蔽ラベル。
【請求項２】
請求項１に記載の隠蔽ラベルにおいて、
前記隠蔽層は、不透明層であること、
を特徴とする隠蔽ラベル。
【請求項３】
請求項２に記載の隠蔽ラベルにおいて、
前記不透明層は、カーボンブラックを含む墨インキ層、有色顔料を含む有色インキ層のうち少なくとも１つ以上を含むこと、
を特徴とする隠蔽ラベル。
【請求項４】
請求項１に記載の隠蔽ラベルにおいて、
前記隠蔽層は、半透明層であること、
を特徴とする隠蔽ラベル。
【請求項５】
請求項４に記載の隠蔽ラベルにおいて、
前記半透明層は、微粉末粒子及び／又は針状物を含む白色インキ層、アルミニウムを含む銀インキ層、無色インキの表面平滑性を低下させて不透明性を高めたインキ層のうち少なくとも１つ以上を含むこと、
を特徴とする隠蔽ラベル。
【請求項６】
請求項１に記載の隠蔽ラベルにおいて、
前記隠蔽層は、所定の条件下で色が変化する変色層であること、
を特徴とする隠蔽ラベル。
【請求項７】
請求項６に記載の隠蔽ラベルにおいて、
前記変色層は、特定波長の光を照射した際に変色する蛍光インキ層であること、
を特徴とする隠蔽ラベル。
【請求項８】
請求項１から請求項７までのいずれか１項に記載の隠蔽ラベルにおいて、
前記擬似接着層は、前記秘匿情報欄に対する部分が前記隠蔽層に対する部分よりも高い剥離性を備えること、
を特徴とする隠蔽ラベル。
【発明の詳細な説明】
【技術分野】
【０００１】
本発明は、秘匿情報欄を保護するための隠蔽ラベルに関するものである。
【背景技術】
【０００２】
特許文献１は、擬似接着層を有する積層フィルムを使用した従来の隠蔽ラベルに対して、紙基材で構成するよう工夫したものであって、また、隠蔽基材に貼り合わせた支持基材を利用することで、前述した紙基材での構成による環境対応に加え、圧倒的なコストダウンを図った隠蔽ラベルを開示している。
【０００３】
この隠蔽ラベルは、剥離層をどちらに設けるか、すなわち、支持基材側に設けるか透明部を有する紙基材側に設けるかによって、透明部を有する紙基材に対して、筆記適性やスタンプ適性を持たせたり、逆に、筆記やスタンプができないようにしたりすることができる。
透明性基材に筆記やスタンプができないように配慮することで、追記や二次記入されにくくすることができるものの、やはり筆記具を選べばある程度の追記が可能になってしまうこともある。
【０００４】
というのも、剥離層にあまりに強力な剥離性を持たせてしまうと、擬似接着層を粘着剤のような材料にしないと接着性が低くなりすぎて、隠蔽ラベルとして運用している際（郵送中など）に、意図しない開封が生じてしまう可能性があるからである。
もちろん、再剥離再貼付可能な粘着剤を擬似接着層として活用すると、何度も開けたり閉じたりできるため、根本的なセキュリティ性に問題を生じてしまう。
【０００５】
言うまでもなく、二次記入されたものは、本来の記入欄とは記入されている位置（層）が異なるため、よく観察し、精査することで判断できるものがほとんどであるものの、一点ずつ慎重に観察しなくてはならない、というのは多大な労力を要する。
【特許文献１】特開２００４−１０２１８８号公報
【発明の開示】
【発明が解決しようとする課題】
【０００６】
本発明の課題は、根本的なセキュリティ性を保ちつつ、悪意のある二次記入を防止し、事務作業に多大な労力を要することのない隠蔽ラベルを提供することである。
【課題を解決するための手段】
【０００７】
前記課題を解決するために、請求項１の発明は、折り線をはさんで配置された第１及び第２の領域を有する支持基材と、前記第１の領域上に設けられた秘匿情報欄と、前記第２の領域上に配置され、少なくとも前記秘匿情報欄に対向する部分が透明な透明性基材，粘着剤層及び剥離シートが順に積層された積層ラベル部と、前記第２の領域と前記透明性基材とを擬似接着する擬似接着層と、前記透明性基材の一部であって、前記秘匿情報欄に対向しない部分に設けられた隠蔽層と、を備える隠蔽ラベルである。
請求項２の発明は、請求項１に記載の隠蔽ラベルにおいて、前記隠蔽層は、不透明層であること、を特徴とする隠蔽ラベルである。
請求項３の発明は、請求項２に記載の隠蔽ラベルにおいて、前記不透明層は、カーボンブラックを含む墨インキ層、有色顔料を含む有色インキ層のうち少なくとも１つ以上を含むこと、を特徴とする隠蔽ラベルである。
請求項４の発明は、請求項１に記載の隠蔽ラベルにおいて、前記隠蔽層は、半透明層であること、を特徴とする隠蔽ラベルである。
請求項５の発明は、請求項４に記載の隠蔽ラベルにおいて、前記半透明層は、微粉末粒子及び／又は針状物を含む白色インキ層、アルミニウムを含む銀インキ層、無色インキの表面平滑性を低下させて不透明性を高めたインキ層のうち少なくとも１つ以上を含むこと、を特徴とする隠蔽ラベルである。
請求項６の発明は、請求項１に記載の隠蔽ラベルにおいて、前記隠蔽層は、所定の条件下で色が変化する変色層であること、を特徴とする隠蔽ラベルである。
請求項７の発明は、請求項６に記載の隠蔽ラベルにおいて、前記変色層は、特定波長の光を照射した際に変色する蛍光インキ層であること、を特徴とする隠蔽ラベルである。
請求項８の発明は、請求項１から請求項７までのいずれか１項に記載の隠蔽ラベルにおいて、前記擬似接着層は、前記秘匿情報欄に対する部分が前記隠蔽層に対する部分よりも高い剥離性を備えること、を特徴とする隠蔽ラベルである。
【発明の効果】
【０００８】
本発明によれば、秘匿情報欄以外の部分は、隠蔽層によって隠蔽されているので、悪意のある二次記入を防止することができる。
また、隠蔽層の材料を適宜選択することで、秘匿情報欄以外の部分に二次記入を行っても、その記入した文字自体を判読困難にしたり、簡単にその事実を確認できるようにすることができ、一点ずつ慎重に観察する必要はなく、事務作業を効率よく行うことができる。
【発明を実施するための最良の形態】
【０００９】
本発明は、根本的なセキュリティ性を保ちつつ、悪意のある二次記入を防止し、事務作業に多大な労力を要することのない隠蔽ラベルを提供するという目的を、透明紙の一部であって、記入欄に対向しない部分に隠蔽層を設けることにより実現する。
【実施例】
【００１０】
以下、図面等を参照して、本発明の実施例について、さらに詳しく説明する。
図１は、本発明による隠蔽ラベルの実施例を示す図である。
本実施例の隠蔽ラベル１０は、はがきタイプのものであって、支持基材１１と、透明タック紙（積層ラベル部）１３と、隠蔽層１７と、擬似接着層１８などとを備える。
【００１１】
支持基材１１は、折りミシン目（折り線）ｍｃをはさんで配置された第１及び第２の領域１１−１，１１−２を有するものである。
第１の領域１１−１上の中央付近には、個人情報を記入するための記入欄（秘匿情報欄）１２が設けられ、支持基材１１の裏面には、送信先の宛名欄などが設けられている。
【００１２】
透明タック紙１３は、第２の領域１１−２上に配置され、全面が透明な透明紙（透明性基材）１４，粘着剤（粘着剤層）１５及び剥離紙（剥離シート）１６が順に積層されたものである。
【００１３】
隠蔽層１７は、透明紙１４の一部であって、記入欄１２に対向しない部分に設けられた不透明層である。不透明層は、例えば、カーボンブラックを含む墨インキ層、有色顔料を含む有色インキ層のうち少なくとも１つ以上を含む層である。
【００１４】
擬似接着層１８は、第２の領域１１−２と透明紙１４とを剥離可能に擬似接着するものである。
また、擬似接着層１８は、記入欄１２に対する部分を高い剥離性を有する剥離剤（剥離インキ）で弱接着させ、隠蔽層１７に対する部分を強い接着性を有する擬似接着剤で接着させてある。
【００１５】
次に、本実施例による隠蔽ラベル１０の使用方法について説明する。
図２は、隠蔽ラベル１０の使用方法を説明する図である。
まず、図２（Ａ）に示すように、記入欄１２に必要事項を記入する。
ついで、図２（Ｂ）に示すように、剥離紙１６を剥がし、粘着剤１５を表出させる。
さらに、図２（Ｃ）に示すように、表出させた粘着剤１５が内側となるように隠蔽ラベル１０を２つ折りし、粘着剤１５を記入欄１２に粘着させて記入欄１２を隠蔽する。
そして、この状態で、ポストに投函する。
受取側では、図２（Ｄ）に示すように、擬似接着層１８部分で開封し、透明紙１４で覆われた記入欄１２を確認する。
【００１６】
このように、本実施例によれば、以下のような効果がある。
（１）記入欄１２には透明紙１４を重ねて透視可能としながら、非記入領域には隠蔽層１７を設けたので、大掛かりな修正は直ちに判断でき、高いセキュリティ性を確保できる。
（２）非記入領域は、隠蔽層１７によって隠蔽されているので、悪意のある二次記入を防止することができ、たとえ、非記入領域に二次記入を行っても、その記入された文字自体を判読困難にすることができる。
【００１７】
（３）非記入領域に説明文や誘導文がある場合でも、開封後には、隠蔽層１７がそれらを隠し、事務作業を行いやすい。
（４）記入欄１２は、剥離剤で弱接着させつつ、その他の部分は、強い接着性を確保することで、郵送中の意図しない開封を防止することができ、はがきとしての運用に耐えうる。また、この構成によれば、開封時には、透明紙１４上の記入欄１２に対する部分に剥離剤が残るので、追記や二次記入が困難となる。
【００１８】
（変形例）
以上説明した実施例に限定されることなく、種々の変形や変更が可能であって、それらも本発明の均等の範囲内である。
（１）隠蔽層１７は、不透明層の例で説明したが、透明と不透明の中間の半透明層、例えば、酸化チタン（ＴｉＯ2）や炭酸カルシウム、シリカに代表される微粉末粒子及び／又は針状物を含む白色インキ層、アルミニウムを含む銀インキ層、無色インキの表面平滑性を低下させて不透明性を高めたインキ層のうち少なくとも１つ以上を含む層であってもよい。
このようにすれば、半透明層の下層の文字（説明文など）は、はっきりと見えないが、二次記入した文字は、はっきりと見え、その違いが一見して分かり、隠蔽層上に追記をしても、簡単にその事実が確認できる、という効果がある。
【００１９】
（２）隠蔽層１７は、所定の条件下で色が変化する変色層、例えば、紫外線や赤外線などの特定波長の光を照射した際に変色する蛍光インキ層であってもよく、このようにすれば、より顕著に二次記入が確認でき、セキュリティ性も高まる。
【図面の簡単な説明】
【００２０】
【図１】本発明による隠蔽ラベルの実施例を示す図である。
【図２】隠蔽ラベル１０の使用方法を説明する図である。
【符号の説明】
【００２１】
１０  隠蔽ラベル
１１  支持基材
１１−１  第１の領域
１１−２  第２の領域
１２  記入欄（秘匿情報欄）
１３  透明タック紙（積層ラベル部）
１４  透明紙（透明性基材）
１５  粘着剤（粘着剤層）
１６  剥離紙（剥離シート）
１７  隠蔽層
１８  擬似接着層
ｍｃ  折りミシン目（折り線）
【図１】
2006330218.tif 000003
【図２】
2006330218.tif 000004